(57)【要約】【課題】二重ドラム缶の所在および品質管理と、使用済み内缶の廃棄管理を中央管理センターにて一括して行なうことにより、二重ドラム缶の再利用を円滑かつ低コストで行なうことができ、しかも廃棄処理が厳格かつスムーズに行なわれ、環境問題の発生を未然に防止する。【解決手段】外缶内に薄手の内缶を取り付けてなる二重ドラム缶を使用後に回収し、内缶を新品のものと交換して再び流通させるリサイクルシステムであって、二重ドラム缶の納品、使用済みドラム缶の回収および内缶の交換を行なう再生センター３と、二重ドラム缶の受注、使用済み二重ドラム缶の回収依頼を受け付け、再生センター３へ納品や回収の指示を発するとともに、二重ドラム缶の所在や本数および二重ドラム缶の内容物等の二重ドラム缶の流通に関する情報を中央コンピュータ装置１ａによって一括集中管理する中央管理センター１を備える構成とした。【選択図】  図１
2004227252.tif 000002
【特許請求の範囲】
【請求項１】
外缶内に薄手の内缶を取り付けてなる二重ドラム缶を内容物メーカに納品し、内容物が充填された二重ドラム缶が内容物ユーザに送られて、この内容物ユーザから使用済みの二重ドラム缶を回収し、内缶を新品のものと交換して再び流通させるリサイクルシステムであって、二重ドラム缶の前記内容物メーカへの納品を行ない、前記内容物ユーザから使用済みドラム缶を回収して内缶の交換を行なう再生センターと、内容物メーカからの二重ドラム缶の受注、内容物ユーザからの使用済み二重ドラム缶の回収依頼を受け付けて、前記再生センターへ納品や回収の指示を発するとともに、二重ドラム缶の所在やその本数および二重ドラム缶に収容される内容物等の二重ドラム缶の流通に関する情報を中央コンピュータ装置によって一括集中管理する中央管理センターを備えるドラム缶のリサイクルシステム。
【請求項２】
前記中央管理センターは、内容物メーカに対して二重ドラム缶に収容する内容物に関する製品安全情報シート等の詳細情報の提出を義務付けて同詳細情報を前記中央コンピュータ装置に蓄積し、同情報を再生センターに提供可能にして使用済み二重ドラム缶の回収および再生処理作業の安全性を確保できるようにした請求項１に記載のドラム缶のリサイクルシステム。
【請求項３】
前記再生センターは、回収した使用済み二重ドラム缶から取り外した使用済みの内缶から、その内面に付着している内容物残渣を掻き取り、削り落とし等による無洗浄浄化処理を施して、浄化処理後の内缶を金属資源材料として処理する請求項１に記載のドラム缶のリサイクルシステム。
【発明の詳細な説明】
【０００１】
【発明の属する技術分野】
本発明はドラム缶のリサイクルシステムに関する。
【０００２】
【従来の技術とその問題点】
各種の液体や固体の運搬・保管用の容器として広く利用されているドラム缶は、内容物を充填するメーカから内容物を使うユーザに送られ、ユーザにて内容物が取り出した後にユーザから再生処理業者に渡され、この再生処理業者にて洗浄や更正（補修・再塗装等）の再生処理を施されて、中古ドラム缶として再利用されている。
【０００３】
しかし近年では、新品のドラム缶の価格が下がる反面、ドラム缶を再生処理するための費用およびドラム缶を廃棄するための費用が嵩み、ドラム缶の再生処理業者に処理費用を支払って処理を依頼しなければならないケースが増え、このため、使用済みのドラム缶を再生処理業者に引き渡さず、不法投棄したり、ドラム缶の再生処理やドラム缶の内容物残渣の処理を行なう技術のない処分業者に引き取らせたりして、ドラム缶の再利用が行なわれないだけでなく、環境問題を惹き起こす場合が多くなってきている。
【０００４】
使用済みドラム缶が再生処理や内容物残渣の処理技術のない処分業者に引き渡された場合、通常はドラム缶をそのままプレスして金属スクラップとされるのであるが、ドラム缶の内容物残渣がスクラップから浸み出して土壌汚染や大気汚染あるいは水質汚染の原因となり、内容物残渣が溶剤等の可燃性物質である場合は火災の原因ともなる。また、不法投棄や適切な処置がなされずに放置された場合には上記問題のほかに廃棄されたドラム缶自体も環境問題の原因となる。
【０００５】
上述のような問題が生じる一因としては、従来の使用済みドラム缶のリサイクルシステムでは再生処理または廃棄処分をする責任の所在が明確でないということが挙げられる。すなわち、内容物メーカはユーザにドラム缶を送るとドラム缶の管理責任はユーザにあると認識し、ユーザは使用済みドラム缶を処分業者や再生処理業者に引き渡した時点で管理責任がなくなったと認識し、したがってメーカはユーザが使用済みドラム缶を適正な再生処理業者や処分業者に渡したか否かを把握することはできず、またユーザも処分業者や再生処理業者が適正な処理、処分を行なったか否かを把握することができない。
【０００６】
したがって、ユーザや再生処理業者あるいは処分業者が使用済みドラム缶を適正に処分せず、使用済みドラム缶が不法投棄されたり、内容物残渣により汚染や火災が起きたりした場合には、ドラム缶に表示された内容物メーカの社名から内容物メーカにその処理責任が及ぶことがある。
【０００７】
また、使用済みドラム缶が産業廃棄物の容器として使用された場合、廃棄物の種類によってはドラム缶に表示されている社名会社の企業イメージに傷がつくこともある。
【０００８】
したがって、使用済みドラム缶のリサイクルシステムを構成する上で、使用済みドラム缶の所在を正確に把握することができ、しかも適正な処理、処分が行なわれるようにすることが急務となっている。
【０００９】
なお、ドラム缶を内容物メーカに対してリースで提供し、使用済みドラム缶を紛失した場合には内容物メーカが賠償しなければならないようにして内容物メーカに使用済みドラム缶の管理責任を負わせるようにすることも従来から行なわれている。
しかし、上述のようなリースシステムでは内容物メーカへの責任負担が過大であり、充分な管理を行なうことは困難であった。
【００１０】
また、従来のリサイクルシステムにおける使用済みドラム缶の再生処理では、内容物残渣を洗浄により除去するのが一般的であるが、洗浄処理では洗浄廃液によって水質汚染が発生するおそれがあり使用済みドラム缶の再生処理自体も環境汚染の原因となり得るという問題もある。
【００１１】
ところで、ドラム缶内に別の内缶を備える二重ドラム缶が従来からあり、この二重ドラム缶は図２に示すように、ドラム缶（外缶）３０の内側に例えばブリキよりなる薄手の金属板よりなる内缶３１を挿入したものとしてある。
【００１２】
上述した二重ドラム缶を使用すれば、使用済みの内缶３１と天板３２、締結バンド３３を外して新たな内缶と天板、締結リングを取り付けて再利用することにより、ドラム缶３０自体の洗浄を行なわなくて済むというメリットがあり、使用済みドラム缶の再生処理に掛かるコストを抑えることができるとともに、仮にドラム缶３０の内側に残留物や錆等の付着物や若干の変形、損傷があったとしても再使用に影響を及ぼさずに済む。なお、使用済みの内缶３１は廃棄処分し、天板３２と締結バンド３３は洗浄後に必要に応じて再塗装、更正して再使用される。
【００１３】
しかし、使用後の二重ドラム缶については通常の使用済みドラム缶のようなリサイクルシステムがなく、外缶はユーザが内容物のメーカに返却すればよいが、使用済みの内缶の廃棄や天板、締結バンドの再生を行なうにはユーザが廃棄物処理業者や再生業者に処理を依頼せねばならず、このことから二重ドラム缶の利用は普及していない。
【００１４】
【目的】
本発明の目的とするところは、二重ドラム缶の所在管理および品質管理と、使用済み内缶の廃棄管理を中央管理センターにて一括して行なうことにより、二重ドラム缶のリサイクルを円滑かつ低コストで行なうことができ、もって二重ドラム缶の利用を広め、使用済みドラム缶を有効に再利用できるようにするとともに、使用済みの内缶や使用不能になった外缶の廃棄処理が厳格かつスムーズに行なわれ、環境問題の発生を未然に防止できるようにすることにある。
【００１５】
【発明の構成】
上記目的を達成するために、本発明に係るリサイクルシステムは、外缶内に薄手の内缶を取り付けてなる二重ドラム缶を内容物メーカに納品し、内容物が充填された二重ドラム缶が内容物ユーザに送られて、この内容物ユーザから使用済みの二重ドラム缶を回収し、内缶を新品のものと交換して再び流通させるリサイクルシステムであって、二重ドラム缶の前記内容物メーカへの納品を行ない、前記内容物ユーザから使用済みドラム缶を回収して内缶の交換を行なう再生センターと、内容物メーカからの二重ドラム缶の受注、内容物ユーザからの使用済み二重ドラム缶の回収依頼を受け付けて、前記再生センターへ納品や回収の指示を発するとともに、二重ドラム缶の所在やその本数および二重ドラム缶に収容される内容物等の二重ドラム缶の流通に関する情報を中央コンピュータ装置によって一括集中管理する中央管理センターを備える構成としてある。
【００１６】
また前記中央管理センターは、内容物メーカに対して二重ドラム缶に収容する内容物に関する製品安全情報シート等の詳細情報の提出を義務付けて同詳細情報を前記中央コンピュータ装置に蓄積し、同情報を再生センターに提供可能にして使用済み二重ドラム缶の回収および再生処理作業の安全性を確保できるようにしてある。
【００１７】
さらに前記再生センターは、回収した使用済み二重ドラム缶から取り外した使用済みの内缶から、その内面に付着している内容物残渣を掻き取り、削り落とし等による無洗浄浄化処理を施して、浄化処理後の内缶を金属資源材料として処理する構成としてある。
【００１８】
【実施例】
以下、本発明に係るリサイクルシステムの実施例を添付図面に示す具体例に基づいて説明する。
なお、本実施例で使用する二重ドラム缶は図２に示した従来からあるものと同じであり、内缶３１には例えば厚さが０．２〜０．２５ｍｍ程度のブリキ板よりなるものを使用し、このように構成した内缶は内容物に対する耐蝕性が良好であり、かつ呼び容量が２００リットルのものであれば重さが３〜４ｋｇ程度となって取り扱いが容易であり、しかも後述する使用後の処分の際におけるプレス処理が簡単でプレス後の容積が極めて小であって保管や運搬が容易であるというメリットがある。
【００１９】
本発明のリサイクルシステムは、図１に示されるように、システム全体における二重ドラム缶の流れを把握して集中管理する中央管理センター１、二重ドラム缶の外缶と内缶を新規に製造する新缶メーカ２、使用済みドラム缶の回収や再生処理および二重ドラム缶の製造を行なう再生センター３、３、二重ドラム缶に自社の製品を充填する内容物メーカ４、４および同メーカから二重ドラム缶に収容された製品を購入して使用する内容物ユーザ５、５で構成されている。
【００２０】
しかして、中央管理センター１はシステム全体に流通する二重ドラム缶全ての所在とその本数、充填物されるまたは充填された内容物、内容物メーカ４からの受注と納品、内容物ユーザ５、５からの回収というような二重ドラム缶についての全ての情報を新品、再生品の別にかかわらず一括集中管理し、その情報は逐次中央管理センターの中央コンピュータ装置１ａに蓄積され、情報内容は中央管理センターのシステム管理者によって随時監視されるようになっている。
【００２１】
前記内容物メーカ４が中央管理センター１に対して二重ドラム缶の発注を行なうと、中央管理センター１は再生センター３、３に納品指示を発し、再生センターは必要に応じて新缶メーカ２に外缶と内缶を発注して二重ドラム缶を製造し、再生センターから新品の二重ドラム缶や、再生品の二重ドラム缶（外缶は再生品であるが内缶は全て新品のもの）が内容物メーカ４に納品される。
【００２２】
なお、内容物メーカ４は二重ドラム缶を発注する際に、新品のものの本数と再生品のものの本数を指示するようにしてあり、二重ドラム缶の購入代金に予め使用済みドラム缶の回収費用および再生処理費用が含まれるようにしてあり、内容物メーカ４は必要に応じて内容物ユーザ５への製品代金に回収費用を含ませるようにする。
【００２３】
また、再生センター３から中央管理センター１へ納品報告が行なわれ、同報告に基づく納品データが中央管理センターのコンピュータ装置１ａに蓄積され、所定期間ごと、例えば１か月ごとに内容物メーカ４宛の納入実績報告書が作成、送付されるようにしてある。
なお、同納入実績報告書には、納品日、納品したドラム缶の種類および本数などの納品データが記載される。
【００２４】
ところで本発明のシステムにおいては、内容物メーカに二重ドラム缶に収容する内容物製品の詳細情報、例えば製品安全情報シート（ＭＳＤＳ）を中央管理センター１へ事前に提供することを義務付けており、中央管理センターは内容物と内缶の素材との適応を検討して必要に応じては内缶の材質やその内面へのコーティング等の対応策を講じるとともに、前述のとおり内容物の詳細情報を中央コンピュータ装置１ａに蓄積し、この詳細情報は再生センター３、３に提供できるようにしてあって、再生センターが使用済み二重ドラム缶の回収作業や再生処理を行なう際にその処理や管理を安全に行なうことができるようにしてある。
【００２５】
前記内容物メーカ４に納品された二重ドラム缶には、同メーカにおいて製品が収容され、内容物ユーザ５へ納入され、内容物ユーザ５は二重ドラム缶の内容物製品を取り出す。内容物ユーザ５は空になった使用済みの二重ドラム缶の回収依頼を中央管理センター１に指示する。
【００２６】
この際、内容物ユーザ５は中央管理センター１に対して使用済み二重ドラム缶の種別と各本数を報告、二重ドラム缶の紛失や破損がある場合には併せて報告する。
【００２７】
回収依頼を受けた中央管理センター１は、内容物ユーザ５の最寄の再生センター３に回収の支持を出すとともに回収情報を中央コンピュータ装置１ａに蓄積し、再生センターは内容物ユーザから使用済み二重ドラム缶の回収を行なう。内容物ユーザには、使用済み二重ドラム缶に内容物を残さないこと、また内容物が毒劇物である場合にはその無害化処理を行なうことが義務付けられ、回収の際にこれらが再生センターの回収作業員によって厳密にチェックされる。
【００２８】
再生センター３は回収後の使用済み二重ドラム缶の外缶と内缶を分離して、外缶を再利用できるか否かを確認し、回収した使用済み二重ドラム缶の本数、再生不能で廃棄した外缶の本数を中央管理センター１に報告し、この報告に基づいて中央管理センターは中央コンピュータ装置１ａに同報告の内容を蓄積する。また、中央管理センターは中央コンピュータ装置から内容物ユーザ４宛の回収実績報告書を出力し、同報告書を内容物ユーザへ送る。
【００２９】
上記回収実績報告書には、回収元の内容物ユーザ名、回収日、回収した使用済み二重ドラム缶の種別および本数等の回収情報と、使用不能で廃棄した外缶の種別と本数が含まれ、この回収実績報告書を受けた内容物メーカは、同報告書の内容に基づいて次回の発注の際に新品の二重ドラム缶と再生品の二重ドラム缶を何本購入しなければならないかというような計画の参考資料とする。
【００３０】
また内容物メーカ４は、この回収実績報告書を前述した納入実績報告書のデータから二重ドラム缶の所在や再生状況を把握することができる。
【００３１】
しかして、再生センター３は使用済み二重ドラム缶を内容物ユーザ５から回収して前述のように外缶と内缶を分離し、外缶のチェックを終えると、必要に応じて外缶の清掃や再塗装等の再生処理を行なってから新品の内缶を取り付けて、再生品の二重ドラム缶を製造する。
【００３２】
なお、この再生品の二重ドラム缶は内缶が新品であるので、再利用の際の充填内容物に再生前の内容物残渣が混入するというような問題が生じることは皆無であり、新品の二重ドラム缶と何ら変わりのない信頼性の高い容器として使用できる。
【００３３】
また、使用済み二重ドラム缶から取り外した使用済みの内缶については無洗浄無害化処理を行なってからプレス処理を行なって小容積化し、スクラップヤード会社等の処分業者に引き渡して金属資源として再利用に供する。
なお、上記内缶の無洗浄無害化処理は、内缶の内面に付着している内容物残渣を専用の装置にて掻き取ったり削り落としたり、あるいは内缶をその底部からローラプレス機にかけて押し潰すことによって絞り出したりして内缶と分離し、分離された廃棄物は専門業者に焼却処分を依頼する。
【００３４】
上記内缶の処理においては洗浄を行なわないので、洗浄廃液による水質汚染等の環境汚染のおそれがなく、また内容残渣の排出物の量も洗浄廃液の量に比べると各段に少なくて済み、排出物を安全かつ容易に管理することができるというメリットがある。
【００３５】
ところで、複数の再生センター３においてそれぞれ在庫として保管される再生品の二重ドラム缶の数は、回収依頼の受け付け状況によって逐次変化するが、内容物ユーザ５からの回収依頼と内容物メーカ４への受注は中央管理センター１において一括集中管理されているので、回収予定日やその種別および本数と、納品予定日やその種別および本数に基づいて、中央管理センター１が再生センター３に対して再生センター間での新品および再生品の二重ドラム缶の受け渡しを適宜指示し、また新缶メーカ２から新たな内缶、または内缶と外缶を再生センターへ納品するように指示し、使用済み二重ドラム缶の回収と新品や再生品の二重ドラム缶の納品を正確かつ速やかに行なうことができるようになっており、しかも各再生センターに過剰な在庫が生じて保管に支障が生じないようにしてある。
【００３６】
なお、本発明のシステムにおいて流通させる二重ドラム缶の外缶には、他のドラム缶と明瞭に識別できるように独自のマークや塗装を付し、また各二重ドラム缶に固有の識別番号を付して二重ドラム缶個々の使用履歴をも正確に管理できるようにするのが望ましい。
【００３７】
上述した実施例においては、新缶メーカ２は新品の内缶および外缶を再生センター３、３に供給する構成としてあるが、再生センターからの受注に基づいて新品の内缶、外缶を再生センターに納品する場合もあるし、新缶メーカにおいて二重ドラム缶そのものを製造したり再生処理したりして、その二重ドラム缶を内容物メーカ４に直接納品する場合もある。ただし、二重ドラム缶の製造、再生や納品は再生センターと同様に全て中央管理センターからの指示に基づいて行なわれるようにしなければならない。
【００３８】
また、内容物メーカ４からの発注は中央管理センター１が受け付ける構成としてあるが、この発注を再生センターが受け付けて中央管理センターに報告する構成とする場合もある。
【００３９】
さらに、内容物ユーザ５からの回収依頼は中央管理センターが直接受け付ける構成としてあるが、内容物ユーザが内容物メーカに回収依頼の連絡をして、内容物メーカが中央管理センターに対して、内容物ユーザからの回収依頼を行なうようにしたり、あるいは内容物ユーザが使用済みの二重ドラム缶を一旦内容物メーカに戻し、内容物メーカが中央管理センターに対して、内容物メーカから回収を行なうように依頼する場合もある。
【００４０】
また、内容物ユーザが再生センターに使用済みドラム缶を持ち込み、再生センターから中央管理センターにその持込による回収報告を行なうようにする場合もある。
【００４１】
さらに、上述した実施例においては再生センターから内容物メーカへの二重ドラム缶の納品や、内容物ユーザからの使用済みドラム缶の回収は再生センターが行なうものとしてあるが、実際の納品や回収は別の輸送業者が行なう場合もあり、この場合においても納品や回収を実施した際には輸送業者が中央管理センターへ納品や回収の実施の報告を行なう。
【００４２】
また、上述した実施例では二重ドラム缶の受注は内容物メーカから中央管理センターへ直接行なわれ、また二重ドラム缶の納品は再生センターから内容物メーカへ直接行なわれる構成としてあるが、内容物メーカと中央管理センターとの間および再生センターと内容物メーカとの間に商社等の仲介者を介在せしめるようにする場合もある。
【００４３】
なお、上述した実施例では内缶にブリキ製のものを使用しているが、二重ドラム缶の用途（収容される内容物の種類や性質）によっては他の金属製のものとする場合もあるし、合成樹脂製のものとする場合もあり、さらには内缶の内面に防触加工等のコーティング加工を行なう場合もある。
【００４４】
【発明の効果】
本発明のシステムによれば、外缶と内缶とよりなる二重ドラム缶を流通せしめ、使用済み二重ドラム缶は内缶だけを新品のものに交換して再利用されるようにしてあるので、ドラム缶の利用者たる内容物のメーカやユーザは常に新品の内缶が取り付けられた信頼性の高い二重ドラム缶を使用できる。
【００４５】
また、外缶は原則として洗浄や修復が不要であり、再生処理に掛かるコストの低減を期すことができるとともに、使用済みの内缶は無洗浄処理によって洗浄排水を排出することなく処分され、金属資源材料として再利用することができる。
【００４６】
さらに、この二重ドラム缶の受発注、回収および内容物に関する情報を中央管理センターにて一括集中管理する構成としてあるので、中央管理センターは二重ドラム缶の流通量、所在等の情報に基づいて納品や回収の指示を正確に把握することができて計画的な再生処理を行なうことができ、リサイクルシステムの運用を円滑に運営することができる。
【００４７】
また、内容物メーカにて二重ドラム缶内に収容される内容物については、中央管理センターへの情報提供を義務付けているので、内容物残渣による有毒ガスの発生や発火といような不慮の事故を未然に防止することができて使用済み二重ドラム缶の回収作業や再生処理を安全に行なうことができる。
【００４８】
さらに、内容物メーカは自社製品の充填に使用された使用済み二重ドラム缶が再生センターに回収されたことを確認することができ、したがって自社名が入った使用済みドラム缶が不法に投棄されて環境汚染や火災等の事故を引き起こし、その責任を追及されり、あるいは産業廃棄物の容器として使用されて、企業イメージを損なうようなおそれがなくなるというメリットもある。
【図面の簡単な説明】
【図１】本発明に係るシステムの全体構成図。
【図２】二重ドラム缶の構造の一例を示す一部破断正面図。
【符号の説明】
１  中央管理センター
２  新缶メーカ
３  再生センター
４  内容物メーカ
５  内容物ユーザ
【図１】
2004227252.tif 000003
【図２】
2004227252.tif 000004